(57)【要約】  基材の幅方向に延設された一対の部材から成り、これらの部材間に、該基材に対向し、かつ近接して開口するスリット部（１ａ）及びマニューホールド部（１ｂ）から成る塗工液流路（１ｃ）と、該塗工液流路（１ｃ）に連通する塗工液注入口（１ｄ）とを有するコーティングヘッド本体（１）；及び該コーティングヘッド本体（１）の両端又は片端から、該塗工液流路（１ｃ）内に、該コーティングヘッド本体（１）の長手方向（Ａ）に沿って摺動自在に挿入された、少なくともマニューホールドシールユニット（２ｆ）を具備するインナーディッケル（２）；を含むインナーディッケル付きコーティングヘッド。該インナーディッケル（２）のマニューホールドシールユニット（２ｆ）は、拡張又は熱膨張して、該塗工液流路（１ｃ）の内壁をシールし、かつ塗工液の塗布幅を変えることができる。
2014061791.tif 000002
【特許請求の範囲】
【請求項１】
以下の：
基材の幅方向に延設された一対の部材から成り、これらの部材間に、該基材に対向し、かつ近接して開口するスリット部（１ａ）及びマニューホールド部（１ｂ）から成る塗工液流路（１ｃ）と、該塗工液流路（１ｃ）に連通する塗工液注入口（１ｄ）とを有するコーティングヘッド本体（１）；及び
該コーティングヘッド本体（１）の両端又は片端から、該塗工液流路（１ｃ）内に、該コーティングヘッド本体（１）の長手方向（Ａ）に沿って摺動自在に挿入された、少なくともマニューホールドシールユニット（２ｆ）を具備するインナーディッケル（２）；
を含むインナーディッケル付きコーティングヘッドであって、該インナーディッケル（２）のマニューホールドシールユニット（２ｆ）は、拡張して、該塗工液流路（１ｃ）の内壁をシールし、かつ塗工液の塗布幅を変えることができる、前記インナーディッケル付きコーティングヘッド。
【請求項２】
前記インナーディッケル（２）は、前記マニューホールドシールユニット（２ｆ）の両端にマニューホールド先端対応ユニット（２ｅ）とマニューホールド後端対応ユニット（２ｇ）をさらに有し、該マニューホールドシールユニット（２ｆ）は、該マニューホールド先端対応ユニット（２ｅ）と該マニューホールド後端対応ユニット（２ｇ）間での圧縮により拡張する、請求項１に記載のインナーディッケル付きコーティングヘッド。
【請求項３】
前記マニューホールドシールユニット（２ｆ）は、内部に空洞部を有し、該空洞部内の気体又は液体の圧力によって拡張する、請求項１に記載のインナーディッケル付きコーティングヘッド。
【請求項４】
前記マニューホールドシールユニット（２ｆ）は、内部に空洞部を有し、該空洞部内の気体又は液体の加熱による熱膨張によって拡張する、請求項１に記載のインナーディッケル付きコーティングヘッド。
【請求項５】
前記インナーディッケル（２）は、長手方向（Ｅ）を有し、そして該長手方向（Ｅ）に直交する方向におけるインナーディッケル（２）の断面積は、前記コーティングヘッド本体（１）の前記長手方向（Ａ）に直交する方向における前記塗工液流路（１ｃ）の断面積と同じであるか又はそれより小さい、請求項１〜４のいずれか１項に記載のインナーディッケル付きコーティングヘッド。
【請求項６】
前記マニューホールドシールユニット（２ｆ）の引張弾性率が、前記マニューホールド先端対応ユニット（２ｅ）又は前記マニューホールド後端対応ユニット（２ｇ）の引張弾性率より小さい、請求項２又は５に記載のインナーディッケル付きコーティングヘッド。
【請求項７】
前記インナーディッケル（２）は、前記コーティングヘッド本体（１）の長手方向（Ａ）に沿って、スリット先端対応ユニット（２ａ）及びスリットシールユニット（２ｂ）を含み、該スリットシールユニット（２ｂ）の該スリット先端対応ユニット（２ａ）との接触面には、切り込み部があり、そして該スリット先端対応ユニット（２ａ）は、該切り込み部に入ることにより該スリットシールユニット（２ｂ）と楔状態で結合して、該スリットシールユニット（２ｂ）を拡張させる、請求項２、５、及び６のいずれか１項に記載のインナーディッケル付きコーティングヘッド。
【請求項８】
前記スリットシールユニット（２ｂ）の引張弾性率が、前記スリット先端対応ユニット（２ａ）の引張弾性率より小さい、請求項７に記載のインナーディッケル付きコーティングヘッド。
【請求項９】
前記インナーディッケル（２）は、前記コーティングヘッド本体（１）の長手方向（Ａ）に沿って、スリット後端対応ユニット（２ｃ）をさらに含み、そして前記スリットシールユニット（２ｂ）の引張弾性率が、該スリット後端対応ユニット（２ｃ）の引張弾性率より小さい、請求項７又は８に記載のインナーディッケル付きコーティングヘッド。
【請求項１０】
前記インナーディッケル（２）は、押し引きボルト（２ｄ）をさらに含み、かつ該押し引きボルト（２ｄ）を回転させることにより圧縮又は復元される、請求項２、及び５〜９のいずれか１項に記載のインナーディッケル付きコーティングヘッド。
【請求項１１】
前記コーティングヘッド本体（１）の内圧によって前記コーティングヘッド本体（１）の長手方向（Ａ）における前記インナーディッケル（２）の位置が変わらないように、前記インナーディッケル（２）の端部には、固定装置（３ｃ）が設けられている、請求項１〜１０のいずれか１項に記載のインナーディッケル付きコーティングヘッド。
【請求項１２】
前記インナーディッケル（２）に、前記塗工液の塗布幅を狭くすることができる連結治具（３ｄ）が搭載されている、請求項１〜１１のいずれか１項に記載のインナーディッケル付きコーティングヘッド。
【請求項１３】
前記インナーディッケル付きコーティングヘッドに通液する塗布液の粘度が1ｍＰａ・ｓ〜２００００ｍＰａ・ｓである、請求項１〜１２のいずれか１項に記載のインナーディッケル付きコーティングヘッド。
【請求項１４】
以下の：
基材の幅方向に延設された一対の部材から成り、これらの部材間に、該基材に対向し、かつ近接して開口するスリット部（１ａ）及びマニューホールド部（１ｂ）から成る塗工液流路（１ｃ）と、該塗工液流路（１ｃ）に連通する塗工液注入口（１ｄ）とを有するコーティングヘッド本体（１）；及び
該コーティングヘッド本体（１）の両端又は片端から、該塗工液流路（１ｃ）内に、該コーティングヘッド本体（１）の長手方向（Ａ）に沿って摺動自在に挿入された、少なくともマニューホールドシールユニット（２ｆ）を具備するインナーディッケル（２）；
を含むインナーディッケル付きコーティングヘッドであって、該塗工液が感光性樹脂液又は電解質膜樹脂液であることを特徴とするインナーディッケル付きコーティングヘッド。
【請求項１５】
前記インナーディッケル（２）は、前記マニューホールドシールユニット（２ｆ）の両端にマニューホールド先端対応ユニット（２ｅ）とマニューホールド後端対応ユニット（２ｇ）をさらに有し、該マニューホールドシールユニット（２ｆ）は、該マニューホールド先端対応ユニット（２ｅ）と該マニューホールド後端対応ユニット（２ｇ）間での圧縮により拡張する、請求項１４に記載のインナーディッケル付きコーティングヘッド。
【請求項１６】
前記マニューホールドシールユニット（２ｆ）は、内部に空洞部を有し、該空洞部内の気体又は液体の圧力によって拡張する、請求項１４に記載のインナーディッケル付きコーティングヘッド。
【請求項１７】
前記マニューホールドシールユニット（２ｆ）は、内部に空洞部を有し、該空洞部内の気体又は液体の加熱による熱膨張によって拡張する、請求項１４に記載のインナーディッケル付きコーティングヘッド。
【請求項１８】
前記インナーディッケル（２）は、長手方向（Ｅ）を有し、そして該長手方向（Ｅ）に直交する方向におけるインナーディッケル（２）の断面積は、前記コーティングヘッド本体（１）の前記長手方向（Ａ）に直交する方向における前記塗工液流路（１ｃ）の断面積と同じであるか、又はそれより小さい、請求項１４〜１７のいずれか１項に記載のインナーディッケル付きコーティングヘッド。
【請求項１９】
前記マニューホールドシールユニット（２ｆ）の引張弾性率が、前記マニューホールド先端対応ユニット（２ｅ）又は前記マニューホールド後端対応ユニット（２ｇ）の引張弾性率より小さい、請求項１５又は１８に記載のインナーディッケル付きコーティングヘッド。
【請求項２０】
前記インナーディッケル（２）は、前記コーティングヘッド本体（１）の長手方向（Ａ）に沿って、スリット先端対応ユニット（２ａ）及びスリットシールユニット（２ｂ）を含み、該スリットシールユニット（２ｂ）の該スリット先端対応ユニット（２ａ）との接触面には、切り込み部があり、そして該スリット先端対応ユニット（２ａ）は、該切り込み部に入ることにより該スリットシールユニット（２ｂ）と楔状態で結合して、該スリットシールユニット（２ｂ）を拡張させる、請求項１５、１８、及び１９のいずれか１項に記載のインナーディッケル付きコーティングヘッド。
【請求項２１】
前記スリットシールユニット（２ｂ）の引張弾性率が、前記スリット先端対応ユニット（２ａ）の引張弾性率より小さい、請求項２０に記載のインナーディッケル付きコーティングヘッド。
【請求項２２】
前記インナーディッケル（２）は、前記コーティングヘッド本体（１）の長手方向（Ａ）に沿って、スリット後端対応ユニット（２ｃ）をさらに含み、そして前記スリットシールユニット（２ｂ）の引張弾性率が、該スリット後端対応ユニット（２ｃ）の引張弾性率より小さい、請求項２０又は２１に記載のインナーディッケル付きコーティングヘッド。
【請求項２３】
前記インナーディッケル（２）は、押し引きボルト（２ｄ）をさらに含み、かつ該押し引きボルト（２ｄ）を回転させることにより圧縮又は復元される、請求項１５、及び１８〜２２のいずれか１項に記載のインナーディッケル付きコーティングヘッド。
【請求項２４】
前記コーティングヘッド本体（１）の内圧によって前記コーティングヘッド本体（１）の長手方向（Ａ）における前記インナーディッケル（２）の位置が変わらないように、前記インナーディッケル（２）の端部には、固定装置（３ｃ）が設けられている、請求項１４〜２３のいずれか１項に記載のインナーディッケル付きコーティングヘッド。
【請求項２５】
前記インナーディッケル（２）に、前記塗工液の塗布幅を狭くすることができる連結治具（３ｄ）が搭載されている、請求項１４〜２３のいずれか１項に記載のインナーディッケル付きコーティングヘッド。
【請求項２６】
前記インナーディッケル付きコーティングヘッドに通液する塗布液の粘度が1ｍＰａ・ｓ〜２００００ｍＰａ・ｓである、請求項１４〜２５のいずれか１項に記載のインナーディッケル付きコーティングヘッド。
【発明の詳細な説明】
【技術分野】
【０００１】
本発明は、インナーディッケル付きコーティングヘッドに関する。
【背景技術】
【０００２】
各種基材に各種塗工液を塗布して基材上に塗工液の層を有する物品は、一般に、コーティングヘッドを用いて製造されている。詳細には、塗工液がコーティングヘッドに供給され、コーティングヘッドから吐出された塗工液に対してコーティングヘッド又は基材が移動し、塗工液が基材に塗布される。その塗工幅はコーティングヘッドの塗工液流路幅にほぼ等しくなる。
しかしながら、塗工液が基材に塗布されて製造された物品は、消費者の要望の物品幅に裁断され出荷される。また、消費者が要望する物品幅は消費者毎に異なる。一般に、塗工液を基材に塗布して製造される塗工幅は一定であるので、消費者の要望する物品幅によっては、塗布製品の裁断時に塗布製品の耳部分の損失（以下、「耳ロス」という）が大きくなる場合がある。耳ロス部分は、廃棄しなければならず、コストの観点から、著しく不経済なものとなっている。【０００３】
耳ロスを回避するためには、消費者の要求に応じて、塗工液の塗布幅を変えればよいが、その手段としては、従来、塗布幅ごとに、コーティングヘッドを交換するか、塗布幅毎にコーティングヘッドのシムを交換するか、コーティングヘッドのスリット部の間隙にテープを貼ったりすることが、行われている。
しかしながら、コーティングヘッドの交換自体に、時間と労力を要するだけでなく、交換したコーティングヘッドを高精度で調整するためにも、時間と労力を要する。
コーティングヘッドのシムを交換するにしても、以下の特許文献１に記載されるように、精度の観点から、コーターの再調整が必要であり、また、金属性のシムを挟むことに因り、コーティングヘッドに傷が入る頻度が増大する。さらに、金属性のシムを用いても、粘度が２０，０００ｍＰａ・ｓ以下の塗工液を塗布する場合には、液漏れする場合がある。
コーティングヘッドとシートとの間に未塗工部分を形成する薄板を設ける方法もあるが、基材に塗工液を塗布した物品は薄膜化の方向にあり、基材とコーターヘッドの間隙の精度も高くなければならないことから、コーティングヘッドのスリット部の間隙にテープを貼ったり、薄板を設けたりすることは、塗工液の薄膜化、均一化の観点から、許容されるものではない（以下の特許文献２及び３参照）。【０００４】
他方、樹脂成型ラミネーション用ディッケル付Ｔダイが提案されている。樹脂成型ラミネーション用ディッケル付Ｔダイは、例えば、ポリエチレン等のシート状物品を押出成形し、他のフィルムと貼り合わせるためのダイであり、溶融押出機の下端に接続されるものであり、ディッケルを有し、これを樹脂流路内に摺動させて、シート状成型品の幅を変更させることができる。
【先行技術文献】
【特許文献】
【０００５】
【特許文献１】特開２００９−１８２２７号公報
【特許文献２】特開平５−２６３号公報
【特許文献３】特開２００７−１０９９２号公報
【発明の概要】
【発明が解決しようとする課題】
【０００６】
前記した樹脂成型ラミネーション用ディッケル付Ｔダイは、２００℃〜４００℃の温度で、約１００，０００ｍＰａ・ｓの粘度を有する溶融したポリエチレンをシート状に吐出するために使用されるものであり、１０℃〜５０℃で、通常１ｍＰａ・ｓ〜２０，０００ｍＰａ・ｓの粘度を有する塗工液の塗布には、ディッケルとシールメタルの接触面より液漏れが発生し、使用することはできないものである。つまり、高精度が要求される比較低粘度の塗工液を任意の幅で塗布することができるコーティングヘッドは、未だ存在していない。【０００７】
したがって、本発明が解決しようとする課題は、基材上に比較的低粘度の塗工液を所定の厚みで、かつ、所定範囲内の任意の幅で、幅可変作業が容易にでき、塗布することができる、インナーディッケル付きコーティングヘッド、及びそれを用いて塗工液を基材上に塗布することにより、基材上に塗工液層を有する物品を製造する方法を提供することである。
【課題を解決するための手段】
【０００８】
本発明者は、前記した従来技術の問題を鋭意検討し、実験を重ねた結果、コーティングヘッドの塗工液流路内にインナーディッケルを挿入し、インナーディッケルのシール部を拡張又は熱膨張させることにより、インナーディッケルの断面積を増減させて、塗工液流路の内壁に対するシール性及び塗工液の塗布幅を調整できることを見出し、本発明を完成するに至った。すなわち、本発明は、以下の通りのものである。【０００９】
［１］以下の：
基材の幅方向に延設された一対の部材から成り、これらの部材間に、該基材に対向し、かつ近接して開口するスリット部（１ａ）及びマニューホールド部（１ｂ）から成る塗工液流路（１ｃ）と、該塗工液流路（１ｃ）に連通する塗工液注入口（１ｄ）とを有するコーティングヘッド本体（１）；及び
該コーティングヘッド本体（１）の両端又は片端から、該塗工液流路（１ｃ）内に、該コーティングヘッド本体（１）の長手方向（Ａ）に沿って摺動自在に挿入された、少なくともマニューホールドシールユニット（２ｆ）を具備するインナーディッケル（２）；
を含むインナーディッケル付きコーティングヘッドであって、該インナーディッケル（２）のマニューホールドシールユニット（２ｆ）は、拡張して、該塗工液流路（１ｃ）の内壁をシールし、かつ塗工液の塗布幅を変えることができる、前記インナーディッケル付きコーティングヘッド。【００１０】
［２］前記インナーディッケル（２）は、前記マニューホールドシールユニット（２ｆ）の両端にマニューホールド先端対応ユニット（２ｅ）とマニューホールド後端対応ユニット（２ｇ）をさらに有し、該マニューホールドシールユニット（２ｆ）は、該マニューホールド先端対応ユニット（２ｅ）と該マニューホールド後端対応ユニット（２ｇ）間での圧縮により拡張する、前記［１］に記載のインナーディッケル付きコーティングヘッド。【００１１】
［３］前記マニューホールドシールユニット（２ｆ）は、内部に空洞部を有し、該空洞部内の気体又は液体の圧力によって拡張する、前記［１］に記載のインナーディッケル付きコーティングヘッド。【００１２】
［４］前記マニューホールドシールユニット（２ｆ）は、内部に空洞部を有し、該空洞部内の気体又は液体の加熱による熱膨張によって拡張する、前記［１］に記載のインナーディッケル付きコーティングヘッド。【００１３】
［５］前記インナーディッケル（２）は、長手方向（Ｅ）を有し、そして該長手方向（Ｅ）に直交する方向におけるインナーディッケル（２）の断面積は、前記コーティングヘッド本体（１）の前記長手方向（Ａ）に直交する方向における前記塗工液流路（１ｃ）の断面積と同じであるか、又はそれより小さい、前記［１］〜［４］のいずれかに記載のインナーディッケル付きコーティングヘッド。【００１４】
［６］前記マニューホールドシールユニット（２ｆ）の引張弾性率が、前記マニューホールド先端対応ユニット（２ｅ）又は前記マニューホールド後端対応ユニット（２ｇ）の引張弾性率より小さい、前記［２］又は［５］に記載のインナーディッケル付きコーティングヘッド。【００１５】
［７］前記インナーディッケル（２）は、前記コーティングヘッド本体（１）の長手方向（Ａ）に沿って、スリット先端対応ユニット（２ａ）及びスリットシールユニット（２ｂ）を含み、該スリットシールユニット（２ｂ）の該スリット先端対応ユニット（２ａ）との接触面には、切り込み部があり、そして該スリット先端対応ユニット（２ａ）は、該切り込み部に入ることにより該スリットシールユニット（２ｂ）と楔状態で結合して、該スリットシールユニット（２ｂ）を拡張させる、前記［２］、［５］、及び［６］のいずれかに記載のインナーディッケル付きコーティングヘッド。【００１６】
［８］前記スリットシールユニット（２ｂ）の引張弾性率が、前記スリット先端対応ユニット（２ａ）の引張弾性率より小さい、前記［７］に記載のインナーディッケル付きコーティングヘッド。【００１７】
［９］前記インナーディッケル（２）は、前記コーティングヘッド本体（１）の長手方向（Ａ）に沿って、スリット後端対応ユニット（２ｃ）をさらに含み、そして前記スリットシールユニット（２ｂ）の引張弾性率が、該スリット後端対応ユニット（２ｃ）の引張弾性率より小さい、前記［７］又は［８］に記載のインナーディッケル付きコーティングヘッド。【００１８】
［１０］前記インナーディッケル（２）は、押し引きボルト（２ｄ）をさらに含み、かつ該押し引きボルト（２ｄ）を回転させることにより圧縮又は復元される、前記［２］、及び［５］〜［９］のいずれかに記載のインナーディッケル付きコーティングヘッド。【００１９】
［１１］前記コーティングヘッド本体（１）の内圧によって前記コーティングヘッド本体（１）の長手方向（Ａ）における前記インナーディッケル（２）の位置が変わらないように、前記インナーディッケル（２）の端部には、固定装置（３ｃ）が設けられている、前記［１］〜［１０］のいずれかに記載のインナーディッケル付きコーティングヘッド。【００２０】
［１２］前記インナーディッケル（２）に、前記塗工液の塗布幅を狭くすることができる連結治具（３ｄ）が搭載されている、前記［１］〜［１１］のいずれかに記載のインナーディッケル付きコーティングヘッド。【００２１】
［１３］前記インナーディッケル付きコーティングヘッドに通液する塗布液の粘度が1ｍＰａ・ｓ〜２００００ｍＰａ・ｓである、前記［１］〜［１２］のいずれかに記載のインナーディッケル付きコーティングヘッド。【００２２】
［１４］以下の：
基材の幅方向に延設された一対の部材から成り、これらの部材間に、該基材に対向し、かつ近接して開口するスリット部（１ａ）及びマニューホールド部（１ｂ）から成る塗工液流路（１ｃ）と、該塗工液流路（１ｃ）に連通する塗工液注入口（１ｄ）とを有するコーティングヘッド本体（１）；及び
該コーティングヘッド本体（１）の両端又は片端から、該塗工液流路（１ｃ）内に、該コーティングヘッド本体（１）の長手方向（Ａ）に沿って摺動自在に挿入された、少なくともマニューホールドシールユニット（２ｆ）を具備するインナーディッケル（２）；
を含むインナーディッケル付きコーティングヘッドであって、該塗工液が感光性樹脂液又は電解質膜樹脂液であることを特徴とするインナーディッケル付きコーティングヘッド。【００２３】
［１５］前記インナーディッケル（２）は、前記マニューホールドシールユニット（２ｆ）の両端にマニューホールド先端対応ユニット（２ｅ）とマニューホールド後端対応ユニット（２ｇ）をさらに有し、該マニューホールドシールユニット（２ｆ）は、該マニューホールド先端対応ユニット（２ｅ）と該マニューホールド後端対応ユニット（２ｇ）間での圧縮により拡張する、前記［１４］に記載のインナーディッケル付きコーティングヘッド。【００２４】
［１６］前記マニューホールドシールユニット（２ｆ）は、内部に空洞部を有し、該空洞部内の気体又は液体の圧力によって拡張する、前記［１４］に記載のインナーディッケル付きコーティングヘッド。【００２５】
［１７］前記マニューホールドシールユニット（２ｆ）は、内部に空洞部を有し、該空洞部内の気体又は液体の加熱による熱膨張によって拡張する、前記［１４］に記載のインナーディッケル付きコーティングヘッド。【００２６】
［１８］前記インナーディッケル（２）は、長手方向（Ｅ）を有し、そして該長手方向（Ｅ）に直交する方向におけるインナーディッケル（２）の断面積は、前記コーティングヘッド本体（１）の前記長手方向（Ａ）に直交する方向における前記塗工液流路（１ｃ）の断面積と同じであるか、又はそれより小さい、前記［１４］〜［１７］のいずれかに記載のインナーディッケル付きコーティングヘッド。【００２７】
［１９］前記マニューホールドシールユニット（２ｆ）の引張弾性率が、前記マニューホールド先端対応ユニット（２ｅ）又は前記マニューホールド後端対応ユニット（２ｇ）の引張弾性率より小さい、前記［１５］又は［１８］に記載のインナーディッケル付きコーティングヘッド。【００２８】
［２０］前記インナーディッケル（２）は、前記コーティングヘッド本体（１）の長手方向（Ａ）に沿って、スリット先端対応ユニット（２ａ）及びスリットシールユニット（２ｂ）を含み、該スリットシールユニット（２ｂ）の該スリット先端対応ユニット（２ａ）との接触面には、切り込み部があり、そして該スリット先端対応ユニット（２ａ）は、該切り込み部に入ることにより該スリットシールユニット（２ｂ）と楔状態で結合して、該スリットシールユニット（２ｂ）を拡張させる、前記［１５］、［１８］、及び［１９］のいずれかに記載のインナーディッケル付きコーティングヘッド。【００２９】
［２１］前記スリットシールユニット（２ｂ）の引張弾性率が、前記スリット先端対応ユニット（２ａ）の引張弾性率より小さい、前記［２０］に記載のインナーディッケル付きコーティングヘッド。【００３０】
［２２］前記インナーディッケル（２）は、前記コーティングヘッド本体（１）の長手方向（Ａ）に沿って、スリット後端対応ユニット（２ｃ）をさらに含み、そして前記スリットシールユニット（２ｂ）の引張弾性率が、該スリット後端対応ユニット（２ｃ）の引張弾性率より小さい、前記［２０］又は［２１］に記載のインナーディッケル付きコーティングヘッド。【００３１】
［２３］前記インナーディッケル（２）は、押し引きボルト（２ｄ）をさらに含み、かつ該押し引きボルト（２ｄ）を回転させることにより圧縮又は復元される、前記［１５］、及び［１８］〜［２２］のいずれかに記載のインナーディッケル付きコーティングヘッド。【００３２】
［２４］前記コーティングヘッド本体（１）の内圧によって前記コーティングヘッド本体（１）の長手方向（Ａ）における前記インナーディッケル（２）の位置が変わらないように、前記インナーディッケル（２）の端部には、固定装置（３ｃ）が設けられている、前記［１４］〜［２３］のいずれかに記載のインナーディッケル付きコーティングヘッド。【００３３】
［２５］前記インナーディッケル（２）に、前記塗工液の塗布幅を狭くすることができる連結治具（３ｄ）が搭載されている、前記［１４］〜［２３］のいずれかに記載のインナーディッケル付きコーティングヘッド。【００３４】
［２６］前記インナーディッケル付きコーティングヘッドに通液する塗布液の粘度が1ｍＰａ・ｓ〜２０，０００ｍＰａ・ｓである、前記［１４］〜［２５］のいずれかに記載のインナーディッケル付きコーティングヘッド。
【発明の効果】
【００３５】
本発明に係るインナーディッケル付きコーティングヘッドを用いれば、コーティングヘッド本体（１）の長手方向（Ａ）に沿って、塗工液流路（１ｃ）内に、インナーディッケル（２）を、摺動自在に挿入することにより、基材上に塗布される塗工液層の幅を自在に変更することができる。これにより、例えば、耳ロスを回避するためのコーティングヘッド自体の交換等の必要性がなくなるため、経済的に有利になる。
また、例えば、１ｍＰａ・ｓ〜２０，０００ｍＰａ・ｓ付近の超低粘度の塗工液を用いても、コーティングヘッドのスリット部（１ａ）及びマニューホールド部（１ｂ）からの液漏れがない。
さらに、インナーディッケル（２）の材料として樹脂を用いると、コーティングヘッド本体（１）の内部に傷を付けない。樹脂製インナーディッケルの挿入は、コーティングヘッド本体（１）の塗工液流路（１ｃ）のスリット部（１ａ）の間隙の精度に影響を及ぼさない。
さらに、例えば、インナーディッケル（２）は、塗工液吐出部の先端に至るまで、塗工液流路（１ｃ）のスリット部（１ａ）に挿入されるが、塗工液が吐出される部分においては、コーティングヘッドの前面に遮蔽物は存在しないため、基材とコーティングヘッドの間隙の精度に影響を及ぼさない。
さらに、シールプレート（スリットシールユニット（２ｂ）及びマニューホールドシールユニット（２ｆ））は、押し引きボルト（２ｄ）の締め付けをトルク管理することで、スリット間隙の精度を落すことなく、塗工液をシールして、容易かつ非常に高精度に塗工液を塗布することができる。
さらに、樹脂製インナーディッケルを幅方向に動かしながら、コーティングヘッド本体（１）の内部を洗浄することできる。
【図面の簡単な説明】
【００３６】
【図１】コーティングヘッドの斜視図である。
【図２】図２（ａ）は、スリット対応部分としてスリット先端対応ユニット及びスリットシールユニットを有するインナーディッケル本体の側面図であり、図２（ｂ）は、スリット対応部分としてスリット先端対応ユニット、スリットシールユニット及びスリット後端対応ユニットを有するインナーディッケル本体の側面図であり、そして図２（ｃ）は、図２（ｂ）の切断線ＩＩ−ＩＩにおけるスリット対応部分の断面図である。
【図３】図３（ａ）は、インナーディッケルを少し挿入したときのインナーディッケル付きダイヘッドの状態を示す側面図であり、そして図３（ｂ）は、インナーディッケルをかなり挿入したときインナーディッケル付きダイヘッドの状態を示す側面図である。
【発明を実施するための形態】
【００３７】
以下、本発明を実施するための最良の形態（以下、「実施の形態」と略記する。）について、図１〜図３を参照して詳細に説明する。尚、本発明は、以下の実施の形態に限定されるものではなく、その要旨の範囲内で種々変形して実施することができる。
【００３８】
インナーディッケル付きコーティングヘッド
実施の形態では、インナーディッケル付きコーティングヘッドは、コーティングヘッド本体及びインナーディッケルを含む。
図３に示されるように、インナーディッケル付きコーティングヘッドは、コーティングダイヘッド（３ａ）などのコーティングヘッド本体（１）、インナーディッケル本体（３ｂ）、インナーディッケル押さえ治具（３ｃ）などの固定装置、及び連結治具（３ｄ）から構成されることができる。
また、図３に示すように、コーティングヘッド（１）に挿入されるインナーディッケル（２）により、コーティングヘッド（１）から吐出される塗工液の塗布幅は、変更されることができる。
【００３９】
塗工液は、特に限定されないが、例えば、帯電防止フィルム、反射防止フィルム、紫外線防止フィルム、電磁波防止フィルム、カラーフィルターフィルム、ブラックマトリックスフィルム、酸素遮断フィルム、フィルムコンデンサーシート、感熱フィルム、絶縁フィルム、ボンディングシート、カバーレイフィルム、異方導電フィルム、グリーンシート、樹脂付き銅箔、リチウムイオン電極シート、燃料電池シート、磁気記録媒体シート、遮光フィルム、粘着テープ、粘着シート、ソルダーレジストフィルム、その他の各種表面塗工フィルムの製造において塗布される液であることができる。塗工液は、好ましくは、感光性樹脂液又は電解質膜樹脂液である。実施の形態では、塗工液の粘度は、特に限定されないが、インナーディッケル付きコーティングヘッドが後述されるシール構造を有するように、比較的低いことが好ましい。インナーディッケル付きコーティングヘッドに通液する塗布液の粘度は1ｍＰａ・ｓ〜２０，０００ｍＰａ・ｓであり、好ましくは、５０ｍＰａ・ｓ〜４，０００ｍＰａ・ｓである。
【００４０】
塗工液を塗布される基材は、製造されるべき物品の種類に従って変動するが、例えば、樹脂フィルム（例えば、ポリエチレンテレフタレート（ＰＥＴ）、ポリプロピレン、ポリアミド等）、金属箔（例えば、銅箔、アルミ箔等）、不織布、有機・無機繊維織物、紙、ガラス板、基板、フィルム材料、シート材料などであることができる。また、基材は、長尺な形態でよく、長手方向と長手方向に直行する幅方向とを有することが好ましい。さらに、基材は、ロールのように巻き取られた形態で使用されることができる。
以下、インナーディッケル付きコーティングヘッドの各要素ついて順に説明する。
【００４１】
コーティングヘッド
一般に、コーティングヘッドとしては、例えば、ダイコーターヘッド、スロットダイコーターヘッド、リップコーターヘッド、キャップコーターヘッド、テーブルコーターヘッド、カーテンコーターヘッド等が挙げられる。
図１に示されるように、コーティングヘッド本体（１）は、基材の幅方向に延設された一対の部材から成り、これらの部材間に、基材に対向し、長手方向（Ａ）を有し、かつ近接して開口するスリット部（１ａ）及びマニューホールド部（１ｂ）から成る塗工液流路（１ｃ）と、該塗工液流路（１ｃ）に連通する塗工液注入口（１ｄ）とを有することができる。
【００４２】
塗工液流路（１ｃ）のスリット部（１ａ）の幅は、塗布される塗工液の粘度又は塗布層の厚みに応じて決められるが、好ましくは、０．０３ｍｍ〜１．０ｍｍである。
図３に示すように、例えば、コーティングダイヘッド（３ａ）の通常の塗布幅をＣとして、インナーディッケル本体（３ｂ）の挿入量（すなわち、挿入幅）を両端から各々ａとすると、塗工液の塗布幅ＢはＣ−２ａで表される。
【００４３】
実施の形態では、コーティングヘッド本体（１）の材料は、特に制限されるものではなく、必要に応じて任意の材料を用いてコーティングヘッド本体（１）を作製することができる。一般には、コーティングヘッド本体（１）の材料は、例えば、ステンレス鋼などの金属である。また、コーティングヘッド本体（１）の大きさ、及び内部又は外部の形状は、塗工液の粘度・表面張力・密度・沈殿などの物性と生産条件（例えば、塗布幅・厚み・生産速度など）に応じて決定されることができる。
【００４４】
実施の形態では、コーティングヘッド本体（１）は、スリット部（１ａ）の開口部を有する面に、開口部の長手方向に沿って、任意の目盛りを有するスケールなどの測量手段を備えることが好ましい。この測量手段は、塗布幅の精度及びインナーディッケル付きコーティングヘッドのハンドリング性を向上させるという観点から好ましい。
【００４５】
インナーディッケル
インナーディッケルは、コーティングヘッド本体（１）の両端又は片端から、塗工液流路（１ｃ）内に、コーティングヘッド本体（１）の長手方向（Ａ）に沿って摺動自在に挿入されることができる。また、図２に示されるように、インナーディッケル（２）は、長手方向（Ｅ）を有することができる。さらに、インナーディッケル（２）は少なくともマニューホールドシールユニット（２ｆ）を具備する。マニューホールドシールユニット（２ｆ）は拡張して、該塗工液流路（１ｃ）の内壁をシールし、かつ塗工液の塗布幅を変えることができる。
【００４６】
マニューホールドシールユニット（２ｆ）の拡張は、該マニューホールドシールユニット（２ｆ）の両端にマニューホールド先端対応ユニット（２ｅ）とマニューホールド後端対応ユニット（２ｇ）をさらに有し、これらの間で圧縮することによって、拡張することができる。
あるいは、マニューホールドシールユニット（２ｆ）は、内部に空洞部を有し、該空洞部内の気体又は液体の圧力によって拡張することができきる。
あるいは、マニューホールドシールユニット（２ｆ）は、内部に空洞部を有し、該空洞部内の気体又は液体の加熱による熱膨張によって拡張することできる。
【００４７】
本発明においては、マニューホールドシールユニット（２ｆ）は前記いずれかの方法に拡張して、所定の塗工液に適した態様で、塗工液流路（１ｃ）の内壁をシールし、かつ塗工液を塗布するときに液漏れを抑制し、かつ塗工液の塗布幅を任意に変えることができる。
【００４８】
インナーディッケル（２）の形状及び大きさは、コーティングヘッド本体（１）の塗工液流路（１ｃ）の形状に応じて、決定されることができる。塗工液の塗布幅を適切に調整し、かつ塗工液流路（１ｃ）の内壁に対するシール性を向上させるために、長手方向（Ｅ）に直交する方向におけるインナーディッケル（２）の断面積は、コーティングヘッド本体（１）の長手方向（Ａ）に直交する方向における塗工液流路（１ｃ）の断面積と同じであるか、又はそれより小さいことが好ましい。
【００４９】
図２（ａ）及び（ｂ）に示すように、インナーディッケル（２）は、コーティングヘッド本体（１）の塗工液流路（１ｃ）の内壁をシールするために、スリット部（１ａ）と対応する部分（以下、「スリット対応部分」ともいう）及びマニューホールド部（１ｂ）と対応する部分（以下、「マニューホールド対応部分」ともいう）を含む。
【００５０】
スリット対応部分は、塗工液流路（１ｃ）内のスリット部（１ａ）をシールするために、図２（ａ）で示されるように、スリット先端対応ユニット（２ａ）及びスリットシールユニット（２ｂ）を含むか、又は図２（ｂ）で示されるように、スリット先端対応ユニット（２ａ）、スリットシールユニット（２ｂ）及びスリット後端対応ユニット（２ｃ）を含むことができる。
尚、図２（ｂ）の態様においては、マニューホールドシールユニット（２ｆ）は、上記スリットシールユニット（２ｂ）と一体となって、拡張することができる。
また、図示しないが、マニューホールドシールユニット（２ｆ）は、上記スリットシールユニット（２ｂ）と一体となって、内部に空洞部を有し、該空洞部内の気体又は液体の圧力によって、又は該空洞部内の気体又は液体の加熱による熱膨張によって拡張することできる。
【００５１】
スリット先端対応ユニット（２ａ）又はスリット後端対応ユニット（２ｃ）の材料としては、例えば、樹脂、金属などが挙げられる。インナーディッケルをコーティングヘッド本体（１）の長手方向（Ａ）に沿って挿入して、自由に摺動させるために、スリット先端対応ユニット（２ａ）の材料は、樹脂であることが好ましく、そして樹脂としては、例えば、ジュラコン（登録商標）、ＰＥＴ樹脂などが挙げられる。
また、ダイヘッド内圧の関係からスリット先端対応ユニット（２ａ）又はスリット後端対応ユニット（２ｃ）の強度を向上させるために、スリット先端対応ユニット（２ａ）又はスリット後端対応ユニット（２ｃ）の材料として金属を用いることができる。この場合には、金属表面にテフロン（登録商標）コーティング等のコーティングを行なうことが好ましい。
【００５２】
スリット先端対応ユニット（２ａ）又はスリット後端対応ユニット（２ｃ）の形状又は大きさとしては、コーティングヘッド本体（１）のスリット幅に対して小さくすることが好ましく、そしてスリットシールユニット（２ｂ）と接する面を断面上鋭角にすると、スリットシールユニット（２ｂ）との密着性が向上するのでより好ましい。
【００５３】
実施の形態では、スリットシールユニット（２ｂ）は、プレートの形態であることが好ましい。また、スリットシールユニット（２ｂ）の引張弾性率は、スリット先端対応ユニット（２ａ）及び／又はスリット後端対応ユニット（２ｃ）の引張弾性率より小さいことが好ましい。本明細書では、引張弾性率は、ＩＳＯ５２７の引張試験により測定されることができる。
例えば、インナーディッケル（２）のマニューホールドシールユニット（２ｆ）とスリットシールユニット（２ｂ）を、スリット先端対応ユニット（２ａ）とスリット後端対応ユニット（２ｃ）の間に挟んで圧縮することにより、拡張させて、シール性を向上させるという観点から、スリットシールユニット（２ｂ）は、例えば、テフロン（登録商標）又はカルレッツ（登録商標）から製作されることが好ましい。
【００５４】
図２（ｂ）及び図２（ｃ）に示されるように、スリットシールユニット（２ｂ）の断面、特に、スリットシールユニット（２ｂ）のスリット先端対応ユニット（２ａ）との接触面には、スリット先端対応ユニット（２ａ）を受け入れることができる切り込み部があることが好ましい。スリット先端対応ユニット（２ａ）は、切り込み部に入ることによりスリットシールユニット（２ｂ）と楔状態で結合するか、又は切り込み部を介してスリットシールユニット（２ｂ）と咬合して、それによりインナーディッケル（２）のスリット対応部分の断面積を増加させることができるので好ましい。
また、切り込み部の切り込みの程度は、スリット対応部分の長手方向への切り込みの深さとして、０．２ｍｍ〜２．０ｍｍが好ましく、０．３ｍｍ〜１．０ｍｍがより好ましい。
【００５５】
インナーディッケル（２）のスリット対応部分は、スリット対応部分の厚みが、コーティングヘッド本体（１）のスリット幅に対して−１μｍ〜−２０μｍ程度の公差を有するように、加工されることが好ましい。
【００５６】
インナーディッケル（２）のマニューホールド対応部分は、任意の構造で設計されることができる。好ましくは、マニューホールド対応部分は、一体構造物ではなく、例えば、二つ割り構造物として形成されると、マニューホールド対応部分よりも狭いスリット対応部分の加工が容易になるので好ましい。
但し、マニューホールドシールユニット（２ｆ）がスリットシールユニット（２ｂ）と一体となって、内部に空洞部を有し、該空洞部内の気体又は液体の圧力によって、又は該空洞部内の気体又は液体の加熱による熱膨張によって拡張する場合には、該空洞部は密閉され、内保の気体又は液体の加熱、圧力に耐える構造を有する必要がある。例えば、以下に説明する押し引きボルト（２ｄ）の位置に空洞部と通じる通路を設け、インナーディッケルの末端から加熱した又は昇圧した気体又は液体を空洞部に送るか又は循環させることができる構造とすることができる（図示せず）。
【００５７】
本発明においては、マニューホールド対応部分は、コーティングヘッド本体（１）の長手方向（Ａ）に沿って、以下の：
マニューホールド先端対応ユニット（２ｅ）；
マニューホールド後端対応ユニット（２ｇ）；及び
該マニューホールド先端対応ユニット（２ｅ）と該マニューホールド後端対応ユニット（２ｇ）の間に位置し、かつ該マニューホールド先端対応ユニット（２ｅ）と該マニューホールド後端対応ユニット（２ｇ）により圧縮されて体積が増加するマニューホールドシールユニット（２ｆ）；
を含むことが好ましい。
【００５８】
マニューホールド先端対応ユニット（２ｅ）又はマニューホールド後端対応ユニット（２ｇ）の材料は、スリット先端対応ユニット（２ａ）又はスリット後端対応ユニット（２ｃ）の材料と同じであること好ましく、例えば、ジュラコン（登録商標）、ＰＥＴ樹脂などの樹脂から製作されることがより好ましい。
【００５９】
実施の形態では、マニューホールドシールユニット（２ｆ）は、プレートの形態であることが好ましい。また、マニューホールドシールユニット（２ｆ）の引張弾性率は、マニューホールド先端対応ユニット（２ｅ）及び／又はマニューホールド後端対応ユニット（２ｇ）の引張弾性率より小さいことが好ましい。
さらに、マニューホールドシールユニット（２ｆ）の材料は、スリットシールプレート（２ｂ）の材料と同じでもよく、例えば、テフロン（登録商標）又はカルレッツ（登録商標）などから製作されることができる。
尚、前記したように、マニューホールドシールユニット（２ｆ）はスリットシールプレート（２ｂ）と一体のものとして形成されることができる。
【００６０】
実施の形態では、圧縮による拡張力の観点から、装置の精度への影響、例えばスリット部（１ａ）の圧縮力が伴うことによる精度誤差を防ぐため、マニューホールドシールユニット（２ｆ）の幅は、２ｍｍ〜４０ｍｍが好ましく、より好ましくは５ｍｍ〜３０ｍｍである。また、マニューホールドシールユニット（２ｆ）は、一体型の部材であるか、又は複数の部材から構成されることができるが、シール性及び圧縮性の観点から、複数の部材を積層することにより得られる多層構造体であることが好ましい。
【００６１】
押し引きボルト
図２で示されるように、インナーディッケル（２）は、支え部品（２ｈ）内に押し引きボルト（２ｄ）をさらに含み、押し引きボルト（２ｄ）を回転させることにより圧縮又は拡張されることが好ましい。
例えば、押し引きボルト（２ｄ）の先端は、スリット先端対応ユニット（２ａ）及びマニューホールド先端対応ユニット（２ｅ）と固定されており、そして押し引きボルト（２ｄ）を回転させることにより、スリット先端対応ユニット（２ａ）及びマニューホールド先端対応ユニット（２ｅ）が、回転の方向に応じて、スリット後端対応ユニット（２ｃ）又はマニューホールド後端対応ユニット（２ｇ）に近付くか、又はスリット後端対応ユニット（２ｃ）又はマニューホールド後端対応ユニット（２ｇ）から遠ざかるので、スリット／マニューホールド先端対応ユニットとスリット／マニューホールド後端対応ユニットの間のスリット／マニューホールドシールユニットが、圧縮されるか、又は復元されることができる。
押し引きボルト（２ｄ）の材料は、特に限定されないが、押し引きボルト（２ｄ）の強度の観点から、金属であることが好ましい。
【００６２】
図３で示されるように、インナーディッケル本体（３ｂ）をコーティングダイヘッドの長手方向に沿ってコーティングダイヘッド（３ａ）に挿入して自由に摺動させるときに、押し引きボルト（２ｄ）を回して、スリット／マニューホールド先端対応ユニットとスリット／マニューホールド後端対応ユニットの間の距離を増減させると、それによりインナーディッケル本体（３ｂ）も圧縮又は復元されるので、塗工液の塗布幅（Ｂ，Ｃ）を容易に微調整することができる。
【００６３】
基材上に塗工液層が形成されている物品の製造では、所定の塗布幅になるようにインナーディッケル（２）を移動させて、スリット／マニューホールド先端対応ユニットとスリット／マニューホールド後端対応ユニットを近づけるように、押し引きボルト（２ｄ）を回すことによって、スリット／マニューホールドシールユニットを塗工液流路（１ｃ）の内壁に近付けるほどに、塗工液流路（１ｃ）に対するシール性を向上させることができる。
【００６４】
固定装置
図３に示されるように、コーティングダイヘッド（３ａ）の内圧によって、コーティングダイヘッド（３ａ）の長手方向におけるインナーディッケル本体（３ｂ）の位置が変わらないように、インナーディッケル本体（３ｂ）の端部の一方又は両方には、押さえ治具（３ｃ）などの固定装置が設置されていることが好ましい。より詳細には、インナーディッケル本体（３ｂ）がダイ内圧から受ける力と反対向きにインナーディッケル本体（３ｂ）を押すために、インナーディッケル付きコーティングダイヘッドの両端部には、ボルト状の押さえ治具（３ｃ）を設置することが好ましい。なお、本明細書では、「押さえ治具」とは、ダイヘッド内の液圧が高まってきたときに、インナーディッケルをダイヘッドの外部に出さず、かつ所定の塗布幅を保持することができる手段をいう。
【００６５】
基材上に塗工液層が形成されている物品の製造方法
本発明は、以下の工程：
前記インナーディッケル付きコーティングヘッドを用いて、基材上に塗工液を所定の厚み及び幅で塗布する工程；
を含む、基材上に塗工液層が形成されている物品の製造方法にも関する。
また、基材上に塗工液を塗布するときには、塗工液のハンドリング性を向上させるために、塗工液の粘度が、１ｍＰａ・ｓ〜２０，０００ｍＰａ・ｓであることが好ましい。
【００６６】
本発明に係るインナーディッケル付きコーティングヘッドは、塗工を必要とする多くの分野、例えば、印刷分野、電子工業分野、材料リサイクル分野などで利用されることができる。
【実施例】
【００６７】
以下の実施例及び比較例を参照して実施の形態をより具体的に説明するが、本発明は、その要旨を超えない限り、実施例に限定されるものではない。【００６８】
＜感光性樹脂液の調製例１＞
以下に示す化合物を混合し、感光性樹脂液を調製した。
メタクリル酸メチル５０質量％、メタクリル酸２５質量％、及びスチレン２５質量％の三元共重合体のメチルエチルケトン溶液（固形分濃度３５％、重量平均分子量５万、酸当量３４４、分散度３．１）
・・・１５４質量部
ビスフェノールＡの両端にそれぞれ平均２モルずつのエチレンオキサイドを付加したポリエチレングリコールのジメタクリレート（新中村化学工業（株）製ＮＫエスエルＢＰＥ−２００）
・・・１５質量部
ビスフェノールＡの両端にそれぞれ平均２モルずつプロピレンオキサイドと平均６モルずつエチレンオキサイドを付加したポリアルキレングリコールのジメタクリレート
・・・３０質量部
β-ヒドロキシプロピル-β’-（アクリロキシ）プロピルフタレート
・・・５質量部
トリオキシエチルトリメチロールプロパントリアクリレート（新中村化学工業（株）製ＮＫエステルＡ−ＴＭＰＴ−３ＥＯ）
・・・５質量部
４，４’−ビス（ジエチルアミノ）ベンゾフェノン
・・・０．３質量部
２−（ｏ−クロロフェニル）−４，５−ジフェニルイミダゾール二量体
・・・３質量部
ダイアモンドグリーン（保土ヶ谷化学（株）製  アイゼン（登録商標）ＤＩＡＭＯＮＤ  ＧＲＥＥＮ  ＧＨ）
・・・０．１５質量部
ロイコクリスタルバイオレット
・・・０．４質量部
以下の実施例１〜５及び比較例１〜２では、上記感光性樹脂液を、必要に応じて粘度を調整して使用した。【００６９】
以下の実施例、比較例における「液漏れ」と「塗布精度」の評価は以下の方法で実施した。
（１）液漏れ
１ｍＰａ・ｓ〜２０，０００ｍＰａ・ｓ付近の超低粘度の塗工液を所定の塗工液吐出圧力下で塗工する際に目視にてコーティングヘッドのスリット部（１ａ）及びマニューホールド部（１ｂ）からの液漏れの有無を確認した。
（２）塗布精度
塗布精度の評価においては、接触式厚み計ロータリーキャリパー（名産株式会社製）を用い、塗布された幅を幅方向にて０．５ｍｍ間隔で測定し、その測定値の全点中の最大値−最小値の値が目標厚み×５％以下になっているか確認をし、なっているものを○、なっていないものを×として判定した。【００７０】
［実施例１］
表１に示す通り、長手方向のスリット幅８００ｍｍ、すなわち塗布幅が８００ｍｍの圧縮拡張タイプ（マニューホールドシールユニット（２ｆ）がマニューホールド先端対応ユニット（２ｅ）とマニューホールド後端対応ユニット（２ｇ）間での圧縮により拡張するタイプ）のインナーディッケル付きコーティングヘッドを用いて、粘度１ｍＰａ・ｓの感光性樹脂塗工液を吐出圧力０．１ＭＰａでポリエチレンテレフタレートフィルムにスリット全幅で塗布し、乾燥後、厚み７μｍの感光性樹脂膜を作製した。液漏れを確認したところ漏れはなく、塗布精度も、幅方向における厚み精度の誤差が７μｍ×５％以下の範囲内である０．３μｍであり、良好な膜を作製できた。
次に、コーティングヘッド両側のインナーディッケルを１５０ｍｍずつ内側に挿入させた。挿入作業に要した時間は１０分であり、作業は容易であった。同様に粘度１ｍＰａ・ｓの感光性樹脂液を吐出圧力０．１ＭＰａでポリエチレンテレフタレートフィルムに塗布し、乾燥後、厚み７μｍの感光性樹脂膜を作製した。液漏れはなく、塗布幅は５００ｍｍとなり、塗布精度も幅方向における厚み精度の誤差が７μｍ×５％以下の範囲内である０．３μｍであり、良好な膜を作製できた。【００７１】
［実施例２］
表１に示す通り、実施例１と同様に圧縮拡張タイプのインナーディッケル付きコーティングヘッドを用い、粘度２，０００ｍＰａ・ｓの感光性樹脂塗工液を吐出圧力０．３ＭＰａでポリエチレンテレフタレートフィルムにスリット全幅で塗布し、乾燥後、厚み４０μｍの感光性樹脂膜を作製した。液漏れはなく、塗布幅は８００ｍｍとなり、塗布精度も幅方向における厚み精度の誤差が４０μｍ×５％以下の範囲である０．５μｍであり、良好な膜を作製できた。
次に、コーティングヘッド両側のインナーディッケルを１５０ｍｍずつ内側に挿入させた。挿入作業に要した時間は１０分であり作業は容易であった。同様に粘度２０００ｍＰａ・ｓの感光性樹脂塗工液を吐出圧力０．３ＭＰａでポリエチレンテレフタレートフィルムに塗布し、乾燥後、厚み１０μｍの感光性樹脂膜を作製した。液漏れはなく、塗布幅は５００ｍｍとなり、塗布精度も幅方向における厚み精度の誤差が１０μｍ×５％以下の範囲である０．５μｍであり、良好な膜を作製できた。【００７２】
［実施例３］
表１に示す通り、実施例１と同様に圧縮拡張タイプのインナーディッケル付きコーティングヘッドを用い、粘度１０，０００ｍＰａ・ｓの感光性樹脂塗工液を吐出圧力１ＭＰａでポリエチレンテレフタレートフィルムにスリット全幅で塗布し乾燥後、厚み１５０μｍの感光性樹脂膜を作製した。液漏れはなく、塗布幅は８００ｍｍとなり、塗布精度も、幅方向における厚み精度の誤差が１５０μｍ×５％以下の範囲である２．５μｍであり、良好な膜を作製できた。
次に、コーティングヘッド両側のインナーディッケルを１５０ｍｍずつ内側に挿入させた。挿入作業に要した時間は１０分であり作業は容易であった。同様に粘度１０，０００ｍＰａ・ｓの感光性樹脂塗工液を吐出圧力１ＭＰａでポリエチレンテレフタレートフィルムに塗布し、乾燥後、厚み１５０μｍの感光性樹脂膜を作製した。液漏れはなく、塗布幅は５００ｍｍとなり、塗布精度も、幅方向における厚み精度の誤差が１５０μｍ×５％以下の範囲内である２．５μｍであり、良好な膜を作製できた。【００７３】
［実施例４］
長手方向のスリット幅８００ｍｍ、すなわち塗布幅が８００ｍｍの圧力拡張タイプ（マニューホールドシールユニット（２ｆ）が内部に空洞部を有し、空洞部内の気体又は液体の圧力によって拡張するタイプ）のインナーディッケル付きコーティングヘッドを用いて、インナーディッケル内部に水を圧力０．３ＭＰａにて通液し、マニューホールドシールユニット（２ｆ）を圧力拡張させ、粘度２，０００ｍＰａ・ｓの感光性樹脂塗工液を吐出圧力０．１ＭＰａでポリエチレンテレフタレートフィルムにスリット全幅で塗布し、乾燥後、厚み４０μｍの感光性樹脂膜を作製した。液漏れはなく、塗布幅は８００ｍｍとなり、塗布精度も幅方向における厚み精度の誤差が４０μｍ×５％以下の範囲内である０．５μｍであり、良好な膜を作製できた。次に、コーティングヘッド両側のインナーディッケルを１５０ｍｍずつ内側に挿入させた。挿入作業に要した時間は１５分であり、作業は容易であった。同様に粘度１ｍＰａ・ｓの感光性樹脂液を吐出圧力０．１ＭＰａでポリエチレンテレフタレートフィルムに塗布し、乾燥後、厚み１０μｍの感光性樹脂膜を作製した。液漏れはなく、塗布幅は５００ｍｍとなり、塗布精度も、幅方向における厚み精度の誤差が１０μｍ×５％以下の範囲内である０．３μｍであり、良好な膜を作製できた。粘度２０００ｍＰａ・ｓの感光性樹脂液を吐出圧力０．１ＭＰａでポリエチレンテレフタレートフィルムに塗布した場合にも同様に、液漏れはなく、幅方向における厚み精度の誤差が５％以下の範囲内である良好な膜を作製できた。【００７４】
［実施例５］
長手方向のスリット幅８００ｍｍ、すなわち塗布幅が８００ｍｍの熱拡張タイプ（マニューホールドシールユニット（２ｆ）が内部に空洞部を有し、空洞部内の気体又は液体の加熱による熱膨張によって拡張するタイプ）のインナーディッケル付きコーティングヘッドを用いて、インナーディッケル内部に通液した水を４０℃に加熱して、マニューホールドシールユニット（２ｆ）を熱膨張により拡張させ、粘度２，０００ｍＰａ・ｓの感光性樹脂塗工液を吐出圧力０．１ＭＰａでポリエチレンテレフタレートフィルムにスリット全幅で塗布し、乾燥後、厚み４０μｍの感光性樹脂膜を作製した。液漏れはなく、塗布幅は８００ｍｍとなり、塗布精度も幅方向における厚み精度の誤差が４０μｍ×５％以下の範囲内である０．５μｍであり、良好な膜を作製できた。次に、コーティングヘッド両側のインナーディッケルを１５０ｍｍずつ内側に挿入させた。挿入作業に要した時間は１５分であり、作業は容易であった。同様に粘度１ｍＰａ・ｓの感光性樹脂液を吐出圧力０．１ＭＰａでポリエチレンテレフタレートフィルムに塗布し乾燥後、厚み１０μｍの感光性樹脂膜を作製した。サイドプレートからの液漏れはなく、塗布幅は５００ｍｍとなり、塗布精度も幅方向における厚み精度の誤差が１０μｍ×５％以下の範囲内である０．３μであり、良好な膜を作製できた。粘度２０００ｍＰａ・ｓの感光性樹脂液を吐出圧力０．１ＭＰａでポリエチレンテレフタレートフィルムに塗布した場合にも同様に、液漏れはなく、幅方向における厚み精度の誤差が５％以下の範囲内である良好な膜を作製できた。【００７５】
［比較例１］
表１に示す通り、長手方向のスリット幅８００ｍｍ、すなわち塗布幅が８００ｍｍの樹脂成型ラミネーション用ディッケル付Ｔダイを用い、粘度１ｍＰａ・ｓの感光性樹脂塗工液を液吐圧力０．１ＭＰａでポリエチレンテレフタレートフィルムにスリット全幅で塗布し、乾燥後、厚み１０μｍの感光性樹脂膜を作製した。但し、液漏れが発生したので塗布を中止した。塗布できた箇所の厚み塗布精度評価した結果、１０μｍ×５％以下の範囲の上限を超える１．２μｍの誤差であった。【００７６】
［比較例２］
表１に示す通り、比較例１に用いた樹脂成型ラミネーション用ディッケル付Ｔダイを用い、粘度１０，０００ｍＰａ・ｓの感光性樹脂塗工液を吐出圧力１ＭＰａでポリエチレンテレフタレートフィルムにスリット全幅で塗布し、乾燥後、厚み１５０μｍの感光性樹脂膜を作製した。液漏れが発生したので塗布を中止した。塗布できた箇所の塗布精度を評価した結果、１５０μｍ×５％以下の範囲の上限を超える、１４μｍの誤差であった。【００７７】
【表１】
2014061791.tif 000003
【産業上の利用可能性】
【００７８】
本発明に係るインナーディッケル付きコーティングヘッドは、基材上に、塗工液を、所定の厚みで、かつ、所定範囲内の任意の幅で、塗布する工程を含む、基材上に塗工液の層を有する物品の製造方法に、好適に使用することができる。
【符号の説明】
【００７９】
１    コーティングヘッド本体
１ａ    スリット部
１ｂ    マニューホールド部
１ｃ    塗工液流路
１ｄ    塗工液注入口
Ａ    コーティングヘッド本体の長手方向
Ｂ    塗工液の吐出方向
２    インナーディッケル
２ａ    スリット先端対応ユニット
２ｂ    スリットシールユニット
２ｃ    スリット後端対応ユニット
２ｄ    押し引きボルト
２ｅ    マニューホールド先端対応ユニット
２ｆ    マニューホールドシールユニット
２ｇ    マニューホールド後端対応ユニット
２ｈ    支え部品
Ｅ    インナーディッケルの長手方向
３    インナーディッケル付ダイヘッド
３ａ    コーティングダイヘッド
３ｂ    インナーディッケル本体
３ｃ    押さえ治具
３ｄ    連結治具
【図１】
2014061791.tif 000004
【図２】
2014061791.tif 000005
【図３】
2014061791.tif 000006
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
以下の：
基材の幅方向に延設された一対の部材から成り、これらの部材間に、該基材に対向し、かつ近接して開口するスリット部（１ａ）及びマニューホールド部（１ｂ）から成る塗工液流路（１ｃ）と、該塗工液流路（１ｃ）に連通する塗工液注入口（１ｄ）とを有するコーティングヘッド本体（１）；及び
該コーティングヘッド本体（１）の両端又は片端から、該塗工液流路（１ｃ）内に、該コーティングヘッド本体（１）の長手方向（Ａ）に沿って摺動自在に挿入された、少なくともマニューホールドシールユニット（２ｆ）を具備するインナーディッケル（２）；
を含むインナーディッケル付きコーティングヘッドであって、該インナーディッケル（２）のマニューホールドシールユニット（２ｆ）は、拡張して、該塗工液流路（１ｃ）の内壁をシールし、かつ塗工液の塗布幅を変えることができ、
前記マニューホールドシールユニット（２ｆ）は、内部に空洞部を有し、該空洞部内の気体又は液体の圧力によって拡張する、前記インナーディッケル付きコーティングヘッド。
【請求項２】
前記インナーディッケル（２）は、前記マニューホールドシールユニット（２ｆ）の両端にマニューホールド先端対応ユニット（２ｅ）とマニューホールド後端対応ユニット（２ｇ）をさらに有し、該マニューホールドシールユニット（２ｆ）は、該マニューホールド先端対応ユニット（２ｅ）と該マニューホールド後端対応ユニット（２ｇ）間での圧縮により拡張する、請求項１に記載のインナーディッケル付きコーティングヘッド。
【請求項３】
前記マニューホールドシールユニット（２ｆ）は、内部に空洞部を有し、該空洞部内の気体又は液体の加熱による熱膨張によって拡張する、請求項１に記載のインナーディッケル付きコーティングヘッド。
【請求項４】
前記インナーディッケル（２）は、長手方向（Ｅ）を有し、そして該長手方向（Ｅ）に直交する方向におけるインナーディッケル（２）の断面積は、前記コーティングヘッド本体（１）の前記長手方向（Ａ）に直交する方向における前記塗工液流路（１ｃ）の断面積と同じであるか又はそれより小さい、請求項１〜３のいずれか１項に記載のインナーディッケル付きコーティングヘッド。
【請求項５】
前記マニューホールドシールユニット（２ｆ）の引張弾性率が、前記マニューホールド先端対応ユニット（２ｅ）又は前記マニューホールド後端対応ユニット（２ｇ）の引張弾性率より小さい、請求項２に記載のインナーディッケル付きコーティングヘッド。
【請求項６】
以下の：
基材の幅方向に延設された一対の部材から成り、これらの部材間に、該基材に対向し、かつ近接して開口するスリット部（１ａ）及びマニューホールド部（１ｂ）から成る塗工液流路（１ｃ）と、該塗工液流路（１ｃ）に連通する塗工液注入口（１ｄ）とを有するコーティングヘッド本体（１）；及び
該コーティングヘッド本体（１）の両端又は片端から、該塗工液流路（１ｃ）内に、該コーティングヘッド本体（１）の長手方向（Ａ）に沿って摺動自在に挿入された、少なくともマニューホールドシールユニット（２ｆ）を具備するインナーディッケル（２）；
を含むインナーディッケル付きコーティングヘッドであって、該インナーディッケル（２）のマニューホールドシールユニット（２ｆ）は、拡張して、該塗工液流路（１ｃ）の内壁をシールし、かつ塗工液の塗布幅を変えることができ、
前記インナーディッケル（２）は、前記マニューホールドシールユニット（２ｆ）の両端にマニューホールド先端対応ユニット（２ｅ）とマニューホールド後端対応ユニット（２ｇ）をさらに有し、該マニューホールドシールユニット（２ｆ）は、該マニューホールド先端対応ユニット（２ｅ）と該マニューホールド後端対応ユニット（２ｇ）間での圧縮により拡張し、
前記インナーディッケル（２）は、前記コーティングヘッド本体（１）の長手方向（Ａ）に沿って、スリット先端対応ユニット（２ａ）及びスリットシールユニット（２ｂ）を含み、該スリットシールユニット（２ｂ）の該スリット先端対応ユニット（２ａ）との接触面には、切り込み部があり、そして該スリット先端対応ユニット（２ａ）は、該切り込み部に入ることにより該スリットシールユニット（２ｂ）と結合して、該スリットシールユニット（２ｂ）を拡張させる、インナーディッケル付きコーティングヘッド。
【請求項７】
前記スリットシールユニット（２ｂ）の引張弾性率が、前記スリット先端対応ユニット（２ａ）の引張弾性率より小さい、請求項６に記載のインナーディッケル付きコーティングヘッド。
【請求項８】
前記インナーディッケル（２）は、前記コーティングヘッド本体（１）の長手方向（Ａ）に沿って、スリット後端対応ユニット（２ｃ）をさらに含み、そして前記スリットシールユニット（２ｂ）の引張弾性率が、該スリット後端対応ユニット（２ｃ）の引張弾性率より小さい、請求項６又は７に記載のインナーディッケル付きコーティングヘッド。
【請求項９】
前記インナーディッケル（２）は、押し引きボルト（２ｄ）をさらに含み、かつ該押し引きボルト（２ｄ）を回転させることにより圧縮又は復元される、請求項６〜８のいずれか１項に記載のインナーディッケル付きコーティングヘッド。
【請求項１０】
前記コーティングヘッド本体（１）の内圧によって前記コーティングヘッド本体（１）の長手方向（Ａ）における前記インナーディッケル（２）の位置が変わらないように、前記インナーディッケル（２）の端部には、固定装置（３ｃ）が設けられている、請求項１〜９のいずれか１項に記載のインナーディッケル付きコーティングヘッド。
【請求項１１】
前記インナーディッケル（２）に、前記塗工液の塗布幅を狭くすることができる連結治具（３ｄ）が搭載されている、請求項１〜１０のいずれか１項に記載のインナーディッケル付きコーティングヘッド。
【請求項１２】
前記インナーディッケル付きコーティングヘッドに通液する塗布液の粘度が1ｍＰａ・ｓ〜２００００ｍＰａ・ｓである、請求項１〜１１のいずれか１項に記載のインナーディッケル付きコーティングヘッド。
【請求項１３】
前記塗工液が感光性樹脂液又は電解質膜樹脂液である、請求項１又は６に記載のインナーディッケル付きコーティングヘッド。
【国際調査報告】
2014061791.tif 000007
2014061791.tif 000008
2014061791.tif 000009
2014061791.tif 000010